【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
プライマリセルからのプライマリキャリアと、１つまたは複数のセカンダリセルからの１つまたは複数のセカンダリキャリアとを備える、アグリゲートされたキャリアでユーザ機器（ＵＥ）を構成することと、
前記１つまたは複数のセカンダリセルの少なくとも１つのセカンダリセルに対応する少なくとも１つの関心のある周波数を指定するマルチメディアブロードキャストマルチキャストサービス（ＭＢＭＳ）関心インジケーションメッセージを受信することと、
前記受信されたＭＢＭＳ関心インジケーションメッセージに基づいて、前記少なくとも１つのセカンダリセルの各々についてのシステム情報ブロック１３（ＳＩＢ１３）情報を含むように情報要素を構築することと、
前記構成を有する前記情報要素において、前記プライマリセルからの前記少なくとも１つのセカンダリセルの各々についての前記ＳＩＢ１３情報を送ることと
を備える、発展型ノードＢ（ｅＮＢ）のワイヤレス通信の方法。
【請求項２】
前記ＳＩＢ１３情報は、物理ダウンリンク共有制御チャネル（ＰＤＳＣＨ）内で送られる、
請求項１に記載の方法。
【請求項３】
前記情報要素は、無線リソース構成共通セカンダリセル情報要素である、
請求項１に記載の方法。
【請求項４】
前記ＳＩＢ１３情報は、１つまたは複数のマルチキャストブロードキャスト単一周波数ネットワーク（ＭＢＳＦＮ）エリアに関連付けられたＭＢＭＳ制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、請求項２に記載の方法。
【請求項５】
プライマリセルからのプライマリキャリアと、１つまたは複数のセカンダリセルからの１つまたは複数のセカンダリキャリアとを備える、アグリゲートされたキャリアを有する構成を受信することと、
前記１つまたは複数のセカンダリセルの少なくとも１つのセカンダリセルに対応する少なくとも１つの関心のある周波数を指定するマルチメディアブロードキャストマルチキャストサービス（ＭＢＭＳ）関心インジケーションメッセージを送信することと、
前記構成とともに、前記プライマリセルからの前記少なくとも１つのセカンダリセルの各々についてのシステム情報ブロック１３（ＳＩＢ１３）情報を受信することと
を備え、前記ＳＩＢ１３情報は、前記ＭＢＭＳ関心インジケーションメッセージに応答して前記少なくとも１つのセカンダリセルの各々について受信される、ユーザ機器（ＵＥ）のワイヤレス通信の方法。
【請求項６】
前記ＳＩＢ１３情報は、物理ダウンリンク共有制御チャネル（ＰＤＳＣＨ）内で受信される、
請求項５に記載の方法。
【請求項７】
前記ＳＩＢ１３情報は、前記構成とともに情報要素内で受信される、
請求項６に記載の方法。
【請求項８】
前記ＳＩＢ１３情報は、無線リソース制御（ＲＲＣ）接続再構成メッセージ内で受信される、
請求項６に記載の方法。
【請求項９】
プライマリセルからのプライマリキャリアと、１つまたは複数のセカンダリセルからの１つまたは複数のセカンダリキャリアとを備える、アグリゲートされたキャリアでユーザ機器（ＵＥ）を構成するための手段と、
前記１つまたは複数のセカンダリセルの少なくとも１つのセカンダリセルに対応する少なくとも１つの関心のある周波数を指定するマルチメディアブロードキャストマルチキャストサービス（ＭＢＭＳ）関心インジケーションメッセージを受信するための手段と、
前記受信されたＭＢＭＳ関心インジケーションメッセージに基づいて、前記少なくとも１つのセカンダリセルの各々についてシステム情報ブロック１３（ＳＩＢ１３）情報を含むように情報要素を構築するための手段と、
前記構成を有する前記情報要素において、前記プライマリセルからの前記少なくとも１つのセカンダリセルの各々についてのＳＩＢ１３情報を送るための手段と
を備える、ワイヤレス通信のための発展型ノードＢ（ｅＮＢ）。
【請求項１０】
前記ＳＩＢ１３情報は、物理ダウンリンク共有制御チャネル（ＰＤＳＣＨ）内で送られる、
請求項９に記載のｅＮＢ。
【請求項１１】
前記情報要素は、無線リソース構成共通セカンダリセル情報要素である、
請求項９に記載のｅＮＢ。
【請求項１２】
プライマリセルからのプライマリキャリアと、１つまたは複数のセカンダリセルからの１つまたは複数のセカンダリキャリアとを備える、アグリゲートされたキャリアを有する構成を受信するための手段と、
前記１つまたは複数のセカンダリセルの少なくとも１つのセカンダリセルに対応する少なくとも１つの関心のある周波数を指定するマルチメディアブロードキャストマルチキャストサービス（ＭＢＭＳ）関心インジケーションメッセージを送信するための手段と、
前記構成とともに、前記プライマリセルからの前記少なくとも１つのセカンダリセルの各々についてのシステム情報ブロック１３（ＳＩＢ１３）情報を受信するための手段と
を備え、前記ＳＩＢ１３情報が、前記ＭＢＭＳ関心インジケーションメッセージに応答して前記少なくとも１つのセカンダリセルの各々について受信される、ワイヤレス通信のためのユーザ機器（ＵＥ）。
【請求項１３】
前記ＳＩＢ１３情報は、物理ダウンリンク共有制御チャネル（ＰＤＳＣＨ）内で受信される、
請求項１２に記載のＵＥ。
【請求項１４】
前記ＳＩＢ１３情報は、前記構成とともに情報要素内で受信される、
請求項１３に記載のＵＥ。
【請求項１５】
実行されると、請求項１〜４または請求項５〜８の一項に記載の方法を、少なくとも１つのコンピュータに実施させるための実行可能命令を備える、コンピュータプログラム。
【手続補正２】
【補正対象書類名】明細書
【補正対象項目名】０１３５
【補正方法】変更
【補正の内容】
【０１３５】
[00183]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
プライマリセルからのプライマリキャリアと、１つまたは複数のセカンダリセルからの１つまたは複数のセカンダリキャリアとを備える、アグリゲートされたキャリアでユーザ機器（ＵＥ）を構成することと、
前記構成とともに、前記プライマリセルからの前記１つまたは複数のセカンダリセルのうちの少なくとも１つのセカンダリセルのためのシステム情報ブロック１３（ＳＩＢ１３）情報を送ることと
を備える、発展型ノードＢ（ｅＮＢ）のワイヤレス通信の方法。
［Ｃ２］
前記ＳＩＢ１３情報は、物理ダウンリンク共有制御チャネル（ＰＤＳＣＨ）内で送られる、
Ｃ１に記載の方法。
［Ｃ３］
前記ＳＩＢ１３情報は、前記構成とともに情報要素内で前記ＵＥに送られる、Ｃ２に記載の方法。
［Ｃ４］
前記情報要素は、無線リソース構成共通セカンダリセル情報要素である、Ｃ３に記載の方法。
［Ｃ５］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、Ｃ２に記載の方法。
［Ｃ６］
前記ＳＩＢ１３情報は、無線リソース制御（ＲＲＣ）接続再構成メッセージ内で送られる、
Ｃ２に記載の方法。
［Ｃ７］
前記少なくとも１つのセカンダリセルに対応する少なくとも１つの関心のある周波数を指定するマルチメディアブロードキャストマルチキャストサービス（ＭＢＭＳ）関心インジケーションメッセージを受信することと、
前記受信されたＭＢＭＳ関心インジケーションメッセージに基づいて、前記少なくとも１つのセカンダリセルの各々のための前記ＳＩＢ１３情報を含むように情報要素を構築することと
をさらに備え、前記ＳＩＢ１３情報は、前記情報要素内で送られる、
Ｃ２に記載の方法。
［Ｃ８］
プライマリセルからのプライマリキャリアと、１つまたは複数のセカンダリセルからの１つまたは複数のセカンダリキャリアとを備える、アグリゲートされたキャリアを有する構成を受信することと、
前記構成とともに、前記プライマリセルからの前記１つまたは複数のセカンダリセルのうちの少なくとも１つのセカンダリセルについてのシステム情報ブロック１３（ＳＩＢ１３）情報を受信することと
を備える、ユーザ機器（ＵＥ）のワイヤレス通信の方法。
［Ｃ９］
前記ＳＩＢ１３情報は、物理ダウンリンク共有制御チャネル（ＰＤＳＣＨ）内で受信される、
Ｃ８に記載の方法。
［Ｃ１０］
前記ＳＩＢ１３情報は、前記構成とともに情報要素内で受信される、
Ｃ９に記載の方法。
［Ｃ１１］
前記情報要素は、無線リソース構成共通セカンダリセル情報要素である、Ｃ１０に記載の方法。
［Ｃ１２］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、Ｃ９に記載の方法。
［Ｃ１３］
前記ＳＩＢ１３情報は、無線リソース制御（ＲＲＣ）接続再構成メッセージ内で受信される、
Ｃ９に記載の方法。
［Ｃ１４］
前記少なくとも１つのセカンダリセルに対応する少なくとも１つの関心のある周波数を指定するマルチメディアブロードキャストマルチキャストサービス（ＭＢＭＳ）関心インジケーションメッセージを送信することをさらに備え、前記ＳＩＢ１３情報は、前記ＭＢＭＳ関心インジケーションメッセージに応答して前記少なくとも１つのセカンダリセルについて受信される、
Ｃ９に記載の方法。
［Ｃ１５］
プライマリセルからのプライマリキャリアと、１つまたは複数のセカンダリセルからの１つまたは複数のセカンダリキャリアとを備える、アグリゲートされたキャリアでユーザ機器（ＵＥ）を構成するための手段と、
前記構成とともに、前記プライマリセルからの前記１つまたは複数のセカンダリセルのうちの少なくとも１つのセカンダリセルについてのシステム情報ブロック１３（ＳＩＢ１３）情報を送るための手段と
を備える、ワイヤレス通信のための発展型ノードＢ（ｅＮＢ）。
［Ｃ１６］
前記ＳＩＢ１３情報は、物理ダウンリンク共有制御チャネル（ＰＤＳＣＨ）内で送られる、
Ｃ１５に記載のｅＮＢ。
［Ｃ１７］
前記ＳＩＢ１３情報は、前記構成とともに情報要素内で前記ＵＥに送られる、Ｃ１６に記載のｅＮＢ。
［Ｃ１８］
前記情報要素は、無線リソース構成共通セカンダリセル情報要素である、Ｃ１７に記載のｅＮＢ。
［Ｃ１９］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、Ｃ１６に記載のｅＮＢ。
［Ｃ２０］
前記ＳＩＢ１３情報は、無線リソース制御（ＲＲＣ）接続再構成メッセージ内で送られる、
Ｃ１６に記載のｅＮＢ。
［Ｃ２１］
前記少なくとも１つのセカンダリセルに対応する少なくとも１つの関心のある周波数を指定するマルチメディアブロードキャストマルチキャストサービス（ＭＢＭＳ）関心インジケーションメッセージを受信するための手段と、
前記受信されたＭＢＭＳ関心インジケーションメッセージに基づいて、前記少なくとも１つのセカンダリセルの各々について前記ＳＩＢ１３情報を含むように情報要素を構築するための手段と
をさらに備え、前記ＳＩＢ１３情報は、前記情報要素内で送られる、
Ｃ１６に記載のｅＮＢ。
［Ｃ２２］
プライマリセルからのプライマリキャリアと、１つまたは複数のセカンダリセルからの１つまたは複数のセカンダリキャリアとを備える、アグリゲートされたキャリアを有する構成を受信するための手段と、
前記構成とともに、前記プライマリセルからの前記１つまたは複数のセカンダリセルのうちの少なくとも１つのセカンダリセルについてのシステム情報ブロック１３（ＳＩＢ１３）情報を受信するための手段と
を備える、ワイヤレス通信のためのユーザ機器（ＵＥ）。
［Ｃ２３］
前記ＳＩＢ１３情報は、物理ダウンリンク共有制御チャネル（ＰＤＳＣＨ）内で受信される、
Ｃ２２に記載のＵＥ。
［Ｃ２４］
前記ＳＩＢ１３情報は、前記構成とともに情報要素内で受信される、
Ｃ２３に記載のＵＥ。
［Ｃ２５］
前記情報要素は、無線リソース構成共通セカンダリセル情報要素である、Ｃ２４に記載のＵＥ。
［Ｃ２６］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、Ｃ２３に記載のＵＥ。
［Ｃ２７］
前記ＳＩＢ１３情報は、無線リソース制御（ＲＲＣ）接続再構成メッセージ内で受信される、
Ｃ２３に記載のＵＥ。
［Ｃ２８］
前記少なくとも１つのセカンダリセルに対応する少なくとも１つの関心のある周波数を指定するマルチメディアブロードキャストマルチキャストサービス（ＭＢＭＳ）関心インジケーションメッセージを送信するための手段をさらに備え、前記ＳＩＢ１３情報が、前記ＭＢＭＳ関心インジケーションメッセージに応答して前記少なくとも１つのセカンダリセルについて受信される、
Ｃ２３に記載のＵＥ。
［Ｃ２９］
プライマリセルからのプライマリキャリアと、１つまたは複数のセカンダリセルからの１つまたは複数のセカンダリキャリアとを備える、アグリゲートされたキャリアでユーザ機器（ＵＥ）を構成することと、
前記構成とともに、前記プライマリセルからの前記１つまたは複数のセカンダリセルのうちの少なくとも１つのセカンダリセルについてのシステム情報ブロック１３（ＳＩＢ１３）情報を送ることと
を行うように構成された、処理システムを備える、
ワイヤレス通信のための発展型ノードＢ（ｅＮＢ）。
［Ｃ３０］
前記ＳＩＢ１３情報は、物理ダウンリンク共有制御チャネル（ＰＤＳＣＨ）内で送られる、
Ｃ２９に記載のｅＮＢ。
［Ｃ３１］
前記ＳＩＢ１３情報は、前記構成とともに情報要素内で前記ＵＥに送られる、Ｃ３０に記載のｅＮＢ。
［Ｃ３２］
前記情報要素は、無線リソース構成共通セカンダリセル情報要素である、Ｃ３１に記載のｅＮＢ。
［Ｃ３３］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、Ｃ３０に記載のｅＮＢ。
［Ｃ３４］
前記ＳＩＢ１３情報は、無線リソース制御（ＲＲＣ）接続再構成メッセージ内で送られる、
Ｃ３０に記載のｅＮＢ。
［Ｃ３５］
前記処理システムは、
前記少なくとも１つのセカンダリセルに対応する少なくとも１つの関心のある周波数を指定するマルチメディアブロードキャストマルチキャストサービス（ＭＢＭＳ）関心インジケーションメッセージを受信することと、
前記受信されたＭＢＭＳ関心インジケーションメッセージに基づいて、前記少なくとも１つのセカンダリセルの各々について前記ＳＩＢ１３情報を含むように情報要素を構築することと
を行うようにさらに構成され、前記ＳＩＢ１３情報は、前記情報要素内で送られる、Ｃ３０に記載のｅＮＢ。
［Ｃ３６］
プライマリセルからのプライマリキャリアと、１つまたは複数のセカンダリセルからの１つまたは複数のセカンダリキャリアとを備える、アグリゲートされたキャリアを有する構成を受信することと、
前記構成とともに、前記プライマリセルからの前記１つまたは複数のセカンダリセルのうちの少なくとも１つのセカンダリセルについてのシステム情報ブロック１３（ＳＩＢ１３）情報を受信することと
を行うように構成された、処理システムを備える、
ワイヤレス通信のためのユーザ機器（ＵＥ）。
［Ｃ３７］
前記ＳＩＢ１３情報は、物理ダウンリンク共有制御チャネル（ＰＤＳＣＨ）内で受信される、
Ｃ３６に記載のＵＥ。
［Ｃ３８］
前記ＳＩＢ１３情報は、前記構成とともに情報要素内で受信される、
Ｃ３７に記載のＵＥ。
［Ｃ３９］
前記情報要素は、無線リソース構成共通セカンダリセル情報要素である、Ｃ３８に記載のＵＥ。
［Ｃ４０］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、Ｃ３７に記載のＵＥ。
［Ｃ４１］
前記ＳＩＢ１３情報は、無線リソース制御（ＲＲＣ）接続再構成メッセージ内で受信される、
Ｃ３７に記載のＵＥ。
［Ｃ４２］
前記処理システムは、前記少なくとも１つのセカンダリセルに対応する少なくとも１つの関心のある周波数を指定するマルチメディアブロードキャストマルチキャストサービス（ＭＢＭＳ）関心インジケーションメッセージを送信するようにさらに構成され、前記ＳＩＢ１３情報は、前記ＭＢＭＳ関心インジケーションメッセージに応答して前記少なくとも１つのセカンダリセルについて受信される、
Ｃ３７に記載のＵＥ。
［Ｃ４３］
プライマリセルからのプライマリキャリアと、１つまたは複数のセカンダリセルからの１つまたは複数のセカンダリキャリアとを備える、アグリゲートされたキャリアでユーザ機器（ＵＥ）を構成することと、
前記構成とともに、前記プライマリセルからの前記１つまたは複数のセカンダリセルのうちの少なくとも１つのセカンダリセルについてのシステム情報ブロック１３（ＳＩＢ１３）情報を送ることと
を行うためのコードを備える、コンピュータ可読媒体を備える、
発展型ノードＢ（ｅＮＢ）内のコンピュータプログラム製品。
［Ｃ４４］
プライマリセルからのプライマリキャリアと、１つまたは複数のセカンダリセルからの１つまたは複数のセカンダリキャリアとを備える、アグリゲートされたキャリアを有する構成を受信することと、
前記構成とともに、前記プライマリセルからの前記１つまたは複数のセカンダリセルのうちの少なくとも１つのセカンダリセルについてのシステム情報ブロック１３（ＳＩＢ１３）情報を受信することと
を行うためのコードを備える、コンピュータ可読媒体を備える、
ユーザ機器（ＵＥ）内のコンピュータプログラム製品。